(57)【要約】【課題】ラップフィルムにおける解放端の支持を確実とし、ラップフィルムの取り扱いを容易とする。【解決手段】蓋体１２の前蓋部１２２は、容器本体１１の上面に形成された開口部を上蓋部１２１によって閉じた状態において、容器本体１１の前面を少なくとも部分的に覆う。刃部１４は、前蓋部１２２の他端側に取り付けられている。第１保持部１３１の一端側は、容器本体の開口部の他端側に接続され、かつ、ほぼ下向きに延出されている。第２保持部１３２の一端側は、第１保持部１３１の他端側に接続され、かつ、ほぼ上向きに延出されている。スリット１３３は、第１保持部１３１と第２保持部１３２との接続部分に形成されている。さらに、スリット１３３は、容器本体１１の内部に収納されたラップフィルム筒状体２から引き出されたラップフィルム２１が内部を通過できる形状とされている。【選択図】図２
2011143932.tif 000002
【特許請求の範囲】
【請求項１】
容器本体と、蓋体と、保持体と、刃部とを備えており、
前記容器本体は、上面に開口部を有する略箱体状に構成されており、
前記蓋体は、上蓋部と前蓋部とを備えており、
前記上蓋部の一端側は、前記開口部の一端側に、前記開口部を開閉できるように接続されており、
前記前蓋部の一端側は、前記上蓋部の他端側に接続されており、
かつ、前記前蓋部は、前記上蓋部によって前記開口部を閉じた状態において、前記容器本体の前面を少なくとも部分的に覆う構成とされており、
前記刃部は、前記前蓋部の他端側に取り付けられており、
前記保持体は、第１保持部と、第２保持部と、スリットとを備えており、
前記第１保持部の一端側は、前記開口部の他端側に接続されており、
かつ、前記第１保持部は、ほぼ下向きに延出されており、
前記第２保持部の一端側は、前記第１保持部の他端側に接続されており、
かつ、前記第２保持部は、ほぼ上向きに延出されており、
前記スリットは、前記第１保持部と前記第２保持部との接続部分に形成されており、
かつ、前記スリットは、前記容器本体の内部に収納されたラップフィルム筒状体から引き出されたラップフィルムが内部を通過できる形状とされている、
ことを特徴とするラップフィルム用容器。
【請求項２】
前記第１保持部及び第２保持部は、前記容器本体から離間する方向に、弾性的に付勢されている
請求項１に記載のラップフィルム用容器。
【請求項３】
前記スリットは、ラップフィルムの切断時において、前記刃部よりも高い位置に配置されている
請求項１又は２に記載のラップフィルム用容器。
【請求項４】
前記第１保持部又は前記第２保持部における、前記ラップフィルムとの接触面は、前記ラップフィルムに対して、剥離可能なように接着する材質が用いられている
請求項１〜３のいずれか１項に記載のラップフィルム用容器。
【請求項５】
前記容器本体と、前記蓋体と、前記保持体とは、一枚の厚紙を打ち抜き加工し、その後、打ち抜かれた前記厚紙を折り曲げることによって形成されている
請求項１〜４のいずれか１項に記載のラップフィルム用容器。
【発明の詳細な説明】
【技術分野】
【０００１】
本発明は、ラップフィルムを収納するための容器に関するものである。
【背景技術】
【０００２】
従来から、いわゆるラップフィルムを収納するための容器が使用されている（下記特許文献１〜４参照）。ラップフィルムとは、たとえば薄いシート状ないしフィルム状の樹脂であり、食品の包装などの各種用途に広く使用されている。このようなラップフィルムは、通常、筒状に周回されて、容器内に収納される。そして、使用時には、ラップフィルムの解放端を引き出し、容器に取り付けられた刃でフィルムを切断する。再び使用するときは、切断によって形成された新たな解放端を指で引き出し、必要な長さだけ引き出して再び切断する。
【０００３】
ところで、ラップフィルムは柔軟性が高いため、変形しやすい。また、接着性が高いフィルムも多く、この場合には、フィルムどうしが接着することがある。刃で切断されたフィルムの解放端が、過剰に変形し、あるいは互いに接着している場合には、フィルム解放端を正しく把持する作業が難しいという問題がある。
【先行技術文献】
【特許文献】
【０００４】
【特許文献１】特開２００３−３４１６６６号公報
【特許文献２】特開平５−２４６４２９号公報
【特許文献３】特開昭６３−６４６２２号公報
【特許文献４】実開平４−８９７３４号公報
【発明の概要】
【発明が解決しようとする課題】
【０００５】
前記した各文献には、フィルム解放端をある程度支持できる技術が記載されている。しかしながら、これらの技術では、フィルム解放端を十分確実に支持することは難しい。すなわち、この点において、従来の技術には改良の余地があった。
【０００６】
本発明は、前記した状況に鑑みてなされたものである。本発明の主な目的は、ラップフィルムにおける解放端の支持を確実とし、ラップフィルムの取り扱いを容易とすることである。
【課題を解決するための手段】
【０００７】
本発明は、以下の項目に記載の内容としてそれぞれ表現できる。
【０００８】
（項目１）
容器本体と、蓋体と、保持体と、刃部とを備えており、
前記容器本体は、上面に開口部を有する略箱体状に構成されており、
前記蓋体は、上蓋部と前蓋部とを備えており、
前記上蓋部の一端側は、前記開口部の一端側に、前記開口部を開閉できるように接続されており、
前記前蓋部の一端側は、前記上蓋部の他端側に接続されており、
かつ、前記前蓋部は、前記上蓋部によって前記開口部を閉じた状態において、前記容器本体の前面を少なくとも部分的に覆う構成とされており、
前記刃部は、前記前蓋部の他端側に取り付けられており、
前記保持体は、第１保持部と、第２保持部と、スリットとを備えており、
前記第１保持部の一端側は、前記開口部の他端側に接続されており、
かつ、前記第１保持部は、ほぼ下向きに延出されており、
前記第２保持部の一端側は、前記第１保持部の他端側に接続されており、
かつ、前記第２保持部は、ほぼ上向きに延出されており、
前記スリットは、前記第１保持部と前記第２保持部との接続部分に形成されており、
かつ、前記スリットは、前記容器本体の内部に収納されたラップフィルム筒状体から引き出されたラップフィルムが内部を通過できる形状とされている、
ことを特徴とするラップフィルム用容器。
【０００９】
スリット内にラップフィルムの解放端を通すことによって、ラップフィルムの解放端を保持体によって保持することができる。これにより、ラップフィルムの解放端が過剰に変形することを防ぐことができる。なお、本発明において「上」及び「下」は、通常の使用状態における上下を意味している。
【００１０】
（項目２）
前記第１保持部及び第２保持部は、前記容器本体から離間する方向に、弾性的に付勢されている
項目１に記載のラップフィルム用容器。
【００１１】
第１保持部及び第２保持部を、前記容器本体から離間する方向に、弾性的に付勢することにより、ラップフィルムを引き出す作業が容易となる。
【００１２】
（項目３）
前記スリットは、ラップフィルムの切断時において、前記刃部よりも高い位置に配置されている
項目１又は２に記載のラップフィルム用容器。
【００１３】
スリットを、ラップフィルムの切断時において、刃部よりも高い位置に配置することにより、刃部によるラップフィルムの切断作業を効率的に行うことができる。
【００１４】
（項目４）
前記第１保持部又は前記第２保持部における、前記ラップフィルムとの接触面は、前記ラップフィルムに対して、剥離可能なように接着する材質が用いられている
項目１〜３のいずれか１項に記載のラップフィルム用容器。
【００１５】
第１保持部又は第２保持部における、ラップフィルムとの接触面を、ラップフィルムに対して、剥離可能なように接着する材質とすることにより、保持体によるラップフィルムの保持作用を一層確実とすることができる。
【００１６】
（項目５）
前記容器本体と、前記蓋体と、前記保持体とは、一枚の厚紙を打ち抜き加工し、その後、打ち抜かれた前記厚紙を折り曲げることによって形成されている
項目１〜４のいずれか１項に記載のラップフィルム用容器。
【００１７】
このように構成すれば、ラップフィルム用容器を簡便な方法で製造することができる。
【発明の効果】
【００１８】
本発明によれば、ラップフィルムにおける解放端の支持を確実とし、ラップフィルムの取り扱いを容易とすることが可能となる。
【図面の簡単な説明】
【００１９】
【図１】本発明の一実施形態に係るラップフィルム用容器の展開図である。
【図２】図１のラップフィルム用容器を組み立てた状態における概略的な横断面図である。
【図３】図２における要部の拡大図である。
【図４】本発明の一実施形態に係るラップフィルム用容器の使用方法を説明するための説明図である。
【図５】本発明の一実施形態に係るラップフィルム用容器の使用方法を説明するための説明図である。
【図６】本発明の一実施形態に係るラップフィルム用容器の使用方法を説明するための説明図である。
【図７】図６における要部の拡大図である。
【発明を実施するための形態】
【００２０】
以下、本発明の一実施形態に係るラップフィルム用容器１を、添付の図面を参照しながら説明する。
【００２１】
本実施形態のラップフィルム用容器（以下、単に「容器」と略称することがある）１は、図１及び図２に示されるように、容器本体１１と、蓋体１２と、保持体１３と、刃部１４とを備えている。
【００２２】
（容器本体）
容器本体１１は、上面に開口部を有する略箱体状に構成されている（図２参照）。より詳しくは、容器本体１１は、図１に示されるように、底面部１１１と、後面部１１２と、前面部１１３と、右側面部１１４と、左側面部１１５とを備えている。また、本実施形態では、適宜な厚さ及び強度を持つ厚紙（例えば秤量２７０〜６００ｇ／ｍ２のコートボール紙）を打ち抜き加工することによって、図１に示す状態の容器本体１１を構成することができる。また、図１に示す状態の容器本体１１を適宜な箇所で折り曲げることによって、図２に示す立体形状を構成することができる。
【００２３】
底面部１１１は、略長方形状とされている。後面部１１２は、底面部１１１の幅方向における一端側（図２において左側の側縁）から上方に延長されている。なお、この明細書における上下とは、通常の使用状態における上下を意味する。
【００２４】
前面部１１３は、底面部１１１の幅方向における他端側（図２において右側の側縁）から上方に延長されており、かつ、後面部１１２と対向している。
【００２５】
右側面部１１４は、この実施形態では、右側面片１１４ａ〜ｃから構成されている。右側面片１１４ａ〜ｃは、底面部１１１と後面部１１２と前面部１１３との長手方向における一端側（図１において右端側の側縁）から外側方向に延長されている。右側面部１１４は、右側面片１１４ａ〜ｃを適宜に谷折りして積層させることによって構成されている。
【００２６】
左側面部１１５は、この実施形態では、左側面片１１５ａ〜ｃから構成されている。左側面片１１５ａ〜ｃは、底面部１１１と後面部１１２と前面部１１３との長手方向における他端側（図１において左端側の側縁）から外側方向に延長されている。左側面部１１５は、右側面部１１４と同様に、左側面片１１５ａ〜ｃを適宜に谷折りすることによって構成されている。
【００２７】
容器本体１１の内部には、ラップフィルムを筒状に周回して構成されたラップフィルム筒状体２が収納される。ラップフィルム筒状体２としては、従来と同様のものを使用することができる。
【００２８】
（蓋体）
蓋体１２は、上蓋部１２１と前蓋部１２２とを備えている（図１参照）。
【００２９】
上蓋部１２１の一端側（図２において左端側）は、容器本体１１の後面部１１２の上端に接続されており、容器本体１１の上面に形成された開口部を覆うことができるようになっている。すなわち、上蓋部１２１の一端側は、容器本体１１における開口部の一端側に、この開口部を開閉できるように接続されている。
【００３０】
前蓋部１２２の一端側（図２において上端側）は、上蓋部１２１の他端側（図２において右端側）に接続されている。前蓋部１２２は、上蓋部１２１によって容器本体１１の開口部を閉じた状態において、容器本体１１の前面（図２において左側の面）を少なくとも部分的に覆う構成とされている。
【００３１】
上蓋体１２１は、耳部１２１ａ・１２１ｂを備えている。同様に、前蓋部１２２は、耳部１２２ａ・１２２ｂを備えている。これらの耳部は、適宜に折りたたまれて、左右の側面部１１４・１１５にそれぞれ取り付けられている。
【００３２】
（刃部）
刃部１４は、前蓋部１２２の他端側（図２において下端側）に取り付けられている。刃部１４は、例えば厚紙や硬質樹脂や金属などの適宜の材質によって構成されており、ラップフィルムを切断することができるものである。刃部１４の構成としては、従来と同様とすることができるので、これ以上詳しい説明は省略する。
【００３３】
（保持体）
保持体１３は、第１保持部１３１と、第２保持部１３２と、スリット１３３と、耳部１３４・１３５とを備えている（図１参照）。
【００３４】
第１保持部１３１の一端側（図２及び図３において上端側）は、容器本体１１の上面に形成された開口部の他端側（図２において右端側）に接続されている。より詳しくは、第１保持部１３１の上端は、容器本体１１の前面部１１３の上端に接続されている。また、第１保持部１３１は、下方（図２及び図３において右斜め下）に延びるように接続されている。
【００３５】
第２保持部１３２の一端側（図２及び図３において下端側）は、第１保持部１３１の他端側（図２及び図３において下端側）に接続されている。また、第２保持部１３２は、ほぼ上向きに延出されている。
【００３６】
スリット１３３は、第１保持部１３１と第２保持部１３２との接続部分に形成されている（図１参照）。また、スリット１３３は、容器本体１１の内部に収納されたラップフィルム筒状体２から引き出されたラップフィルム２１が内部を通過できる形状とされている（図２及び図３参照）。
【００３７】
本実施形態のスリット１３３は、ラップフィルム２１の切断時において、刃部１４よりも高い位置に配置されている（図５参照）。
【００３８】
耳部１３４・１３５は、適宜に織り込まれて、左右の側面部１１４・１１５に取り付けられている。
【００３９】
（本実施形態の動作）
次に、本実施形態に係る容器１の使用方法を、図４〜図７を主に参照しながら説明する。
【００４０】
初期状態では、ラップフィルム２１の解放端を、保持体１３のスリット１３３に通しておく（図４参照）ものとする。
【００４１】
ラップフィルム２１を切断する場合は、蓋体１２を上方に少しだけ持ち上げ（図４参照）、ラップフィルム２１の解放端を指で摘み、手前側に引き出す。ラップフィルム２１を必要量だけ引き出した後、蓋体１２を押し下げ、刃部１４を再び下方に配置する（図５参照）。ついで、ラップフィルム２１を、刃部１４に接触させる。これによってラップフィルム２１を切断することができる。ここで、本実施形態では、スリット１３３を、刃部１４よりも高い位置に配置しているので、簡単にラップフィルム２１を切断することができる。すなわち、本実施形態においては、刃部１４によるラップフィルム２１の切断作業を効率的に行うことができるという利点がある。また、ラップフィルム２１の切断によって形成された解放端は、図５に示されるように、保持体１３の下方に延長された状態となるので、次に解放端を引き出す作業が容易となる。
【００４２】
図５の状態では、保持体１３の第１保持部１３１及び第２保持部１３２は、折りたたまれた状態（すなわち接近した状態）となる。折りたたまれた第１保持部１３１及び第２保持部１３２により、ラップフィルム２１を、挟み込むように保持することができる。このため、ラップフィルム２１の開口端が不意に移動ないし変形する可能性を減らすことができる。また、ラップフィルム２１自体が互いに接着する可能性も減らすことができる。
【００４３】
再び、ラップフィルム２１を切断する場合は、蓋体１２を上方に僅かに持ち上げ（図６参照）、ラップフィルム２１の解放端を指で摘み、手前側に引き出す。ここで、蓋体１２を持ち上げると、第１保持部１３１及び第２保持部１３２は、厚紙を折り畳んだことによるスプリングバックによって、容器本体１１の前面部１１３から若干離間する（図７参照）。このため、本実施形態では、ラップフィルム２１を引き出す方向を、スリット１３３の位置を始点として、適宜な方向とすることが可能である（図６及び図７参照）。このため、本実施形態では、ラップフィルム２１を引き出す作業が容易となるという利点がある。ラップフィルム２１を必要量だけ引き出した後、前記と同様に、ラップフィルム２１を刃部１４に接触させることによって切断することができる。
【００４４】
また、本実施形態では、容器本体１１と蓋体１２と保持体１３とを、一枚の厚紙を打ち抜き加工し、その後、打ち抜かれた厚紙を折り曲げることによって形成しているので、ラップフィルム用容器を簡便に製造することができるという利点もある。
【００４５】
なお、本実施形態において、第１保持部１３１又は第２保持部１３２における、ラップフィルム２１との接触面を、ラップフィルム２１に対して、剥離可能なように接着する材質とすることも可能である。このようにすれば、ラップフィルム２１に対する保持作用をより強化することができる。ただし、ラップフィルム２１との接触面は、ラップフィルム２１を引き出すときに、ラップフィルム２１が容易に離脱できるものが好ましい。接触面の具体例としては、例えば、比較的滑らかな印刷面である。
【００４６】
なお、本発明は、前記した実施の形態に限定されるものではなく、本発明の要旨を逸脱しない範囲内において種々の変更を加え得るものである。
【符号の説明】
【００４７】
１  ラップフィルム用容器
１１  容器本体
１１１  底面部
１１２  後面部
１１３  前面部
１１４  右側面部
１１４ａ〜ｃ  右側面片
１１５  左側面部
１１５ａ〜ｃ  左側面片
１２  蓋体
１２１  上蓋部
１２２  前蓋部
１３  保持体
１３１  第１保持部
１３２  第２保持部
１３３  スリット
１４  刃部
２  ラップフィルム筒状体
２１  ラップフィルム
【図１】
2011143932.tif 000003
【図２】
2011143932.tif 000004
【図３】
2011143932.tif 000005
【図４】
2011143932.tif 000006
【図５】
2011143932.tif 000007
【図６】
2011143932.tif 000008
【図７】
2011143932.tif 000009